(57)【要約】    【課題】  本発明は、２軸の回転軸を有するクラムシェル型の電子機器を対象とし、その目的は、美感の低下や外観形状の不用意な大型化を招くことなく、第１の閉止形態および第２の閉止形態において変わらないウェッジシェイプの外観形状を獲得し得る電子機器を提供することにある。    【解決手段】  本発明に関わる電子機器は、自由端部に向けて肉薄となるテーパ形状を呈するとともに、旋回軸と正面との成す正面側傾斜角、および旋回軸と背面との成す背面側傾斜角を互いに等しく設定し、旋回軸を中心として正面および背面を互いに対象に形成した前記蓋体筐体を具備し、第１の閉止形態において蓋体筐体の正面を本体筐体の正面と全体に亘って近接させ、かつ第２の閉止形態において蓋体筐体の背面を本体筐体の正面と全体に亘って近接させるよう構成している。    【選択図】  図４
2008278220.tif 000002
【特許請求の範囲】
【請求項１】
正面に操作部を有する本体筐体と、正面に表示部を有する蓋体筐体と、前記本体筐体と前記蓋体筐体との間に介在する連結体とを備え、前記本体筐体と前記蓋体筐体とを、前記連結体を介し開閉軸を中心として開閉自在、かつ前記開閉軸と直交する旋回軸を中心として旋回自在に連結して成り、
前記本体筐体の正面に前記蓋体筐体の正面を相対向させて、前記本体筐体と前記蓋体筐体とを閉じた第１の閉止形態と、
前記本体筐体の正面に前記蓋体筐体の背面を相対向させて、前記本体筐体と前記蓋体筐体とを閉じた第２の閉止形態とに変形し得る電子機器であって、
自由端部に向けて肉薄となるテーパ形状を呈するとともに、旋回軸と正面との成す正面側傾斜角、および旋回軸と背面との成す背面側傾斜角を互いに等しく設定し、旋回軸を中心として正面および背面を互いに対象に形成した前記蓋体筐体を具備し、
第１の閉止形態において、前記蓋体筐体の正面を前記本体筐体の正面と全体に亘って近接させ、かつ第２の閉止形態において、前記蓋体筐体の背面を前記本体筐体の正面と全体に亘って近接させるよう構成したことを特徴とする電子機器。
【発明の詳細な説明】
【技術分野】
【０００１】
本発明は、正面に操作部を有する本体筐体と、正面に表示部を有する蓋体筐体とを、回転２軸ヒンジ機構を備えた連結体を介して、互いに開閉自在かつ旋回可能に連結してなる電子機器に関する。
【背景技術】
【０００２】
例えば、電子機器の一例である携帯電話機には、使用時における使い易さと携帯時のコンパクト化とを両立させ、さらに多様な使用形態を実現することを目的として、回転２軸ヒンジ機構を用い、正面に操作部を有する本体筐体と、正面に表示部を有する蓋体筐体とを、互いに開閉自在、かつ旋回可能に連結してなる折畳み式の携帯電話機が提供されている。
【０００３】
図６および図７に示す携帯電話機Ａは、本体筐体Ｂと蓋体筐体Ｃとを備えており、本体筐体Ｂの正面Ｂｆには、複数の操作キーを備えた操作部Ｂａと送話部Ｂｍとが設けられ、蓋体筐体Ｃの正面Ｃｆには、大型の液晶表示画面Ｃｄとともに受話部Ｃｒが設けられている。
【０００４】
上記本体筐体Ｂと蓋体筐体Ｃとは、回転２軸ヒンジ機構(図示せず)を備えた連結体Ｄを介して、図６に矢印Ｆで示す如く開閉軸ｘを中心として開閉自在に連結されているとともに、上記開閉軸ｘと直交する旋回軸ｚを中心として、図６に矢印Ｒで示す如く旋回自在に連結されている。
【０００５】
これにより、上記携帯電話機Ａは、本体筐体Ｂの正面Ｂｆと蓋体筐体Ｃの正面Ｃｆとを相対向させて閉じたクローズポジション(第１の閉止形態)と、該クローズポジションから本体筐体Ｂに対して蓋体筐体Ｃを所定の姿勢角で開いたオープンポジションとを取ることができる。
【０００６】
さらに、上記携帯電話機Ａは、上記オープンポジションから蓋体筐体Ｃを１８０°旋回(反転)させたターンオープンポジションと、該ターンオープンポジションから蓋体筐体Ｃを閉じて、本体筐体Ｂの正面Ｂｆと蓋体筐体Ｃの背面Ｃｂとを相対向させ、メイン液晶画面Ｃｄを外方に露呈させたターンクローズポジション(第２の閉止形態)とを取ることができる。
【０００７】
ここで、上記携帯電話記Ａにおいては、美感や携帯性の向上を目的として、蓋体筐体Ｃにおける背面Ｃの先端側を落し込んだ形状とすることで、図７(ａ)に示す如く蓋体筐体Ｃをクローズポジションとした際に、携帯電話記Ａの全体の形状をウェッジシェープとするデザインを採用しており、図７(ｂ)に示す如く蓋体筐体Ｃをターンクローズポジションとした際のクリアランスは、本体筐体Ｂの正面Ｂｆに設けたクッション材Ｑによって補正している。
【０００８】
しかし、上述した構成の携帯電話機Ａにおいては、蓋体筐体Ｃが図７(ａ)に示したクローズポジションに在る状態と、図７(ｂ)に示したターンクローズポジションに在る状態とで外観形状が大きく相違し、特に蓋体筐体Ｃをターンクローズポジションとした状況においては、携帯電話機Ａの外観形状がウェッジシェープとならない為、美感の低下と共に携帯時に嵩張る等の不都合を生じていた。
【０００９】
上記不都合を解消するべく、回転２軸ヒンジ機構を用い、正面に操作部を有する本体筐体と、正面に表示部を有する蓋体筐体とを、互いに開閉自在、かつ旋回可能に連結してなる折畳み式の携帯電話機において、蓋体筐体をクローズポジションとした状況でも、ターンクローズポジションとした状況でも、全体の外観形状をウェッジシェープとし得る携帯電話機が提供されている(例えば、特許文献１参照)。
【００１０】
すなわち、図８および図９に示した携帯電話機Ａ′では、蓋体筐体Ｃ′における正面Ｃｆ′と背面Ｃｂ′とを、旋回軸ｚを中心として平行に形成するとともに、蓋体筐体Ｃ′をクローズポジションまたはターンクローズポジションとした際、上記旋回軸ｚが本体筐体Ｂの正面Ｂｆに対して傾斜するように構成している。
【００１１】
なお、上記携帯電話機Ａ′は、蓋体筐体Ｃ′の形態および旋回軸ｚを傾斜させた以外、図６および図７に示した携帯電話機Ａと同様なので、該携帯電話機Ａと同様要素には、図８および図９において、図６および図７と同一の符号に′(ダッシュ)を附すして詳細な説明は省略する。
【００１２】
上記構成の携帯電話機Ａ′によれば、図９(ａ)に示すクローズポジションにおいても、また図９(ｂ)に示すターンクローズポジションにおいても、本体筐体Ｂに′対する蓋体筐体Ｃ′の姿勢は変わらず、共に外観形状がウェッジシェープを呈することとなる。
【特許文献１】特開２００６−３３３３０号公報
【発明の開示】
【発明が解決しようとする課題】
【００１３】
ところで、上述した従来の携帯電話機Ａ′によれば、蓋体筐体Ｃ′のクローズポジションとターンクローズポジションとにおいて、共に外観形状がウェッジシェープを呈し得るものの、図９(ａ)および図９(ｂ)から明らかなように、蓋体筐体Ｃ′のクローズポジションおよびターンクローズポジションの何れにおいても、本体筐体Ｂ′と蓋体筐体Ｃ′との間に大きな隙間Ｓ′が形成され、外観の美感を大きく損なうばかりでなく、上記隙間がデッドスペースとなって外観形状の不用意な大型化を招く不都合があった。
【００１４】
上記実状に鑑みて本発明の目的は、美感の低下や外観形状の不用意な大型化を招くことなく、第１の閉止形態および第２の閉止形態において変わらないウェッジシェイプの外観形状を獲得し得る電子機器を提供することにある。
【課題を解決するための手段】
【００１５】
上記目的を達成するべく、本発明に関わる電子機器は、正面に操作部を有する本体筐体と、正面に表示部を有する蓋体筐体と、本体筐体と蓋体筐体との間に介在する連結体とを備え、本体筐体と蓋体筐体とを、連結体を介し開閉軸を中心として開閉自在、かつ開閉軸と直交する旋回軸を中心として旋回自在に連結して成り、本体筐体の正面に蓋体筐体の正面を相対向させて、本体筐体と蓋体筐体とを閉じた第１の閉止形態と、本体筐体の正面に蓋体筐体の背面を相対向させて、本体筐体と蓋体筐体とを閉じた第２の閉止形態とに変形し得るよう構成された電子機器であって、自由端部に向けて肉薄となるテーパ形状を呈するとともに、旋回軸と正面との成す正面側傾斜角、および旋回軸と背面との成す背面側傾斜角を互いに等しく設定し、旋回軸を中心として正面および背面を互いに対象に形成した前記蓋体筐体を具備し、第１の閉止形態において蓋体筐体の正面を本体筐体の正面と全体に亘って近接させ、かつ第２の閉止形態において蓋体筐体の背面を本体筐体の正面と全体に亘って近接させるよう構成したことを特徴としている。
【発明の効果】
【００１６】
本発明に関わる電子機器においては、蓋体筐体を自由端部に向けて肉薄となるテーパ形状とするとともに、旋回軸を中心として蓋体筐体の正面および背面を互いに対象に形成したことで、第１の閉止形態および第２の閉止形態において、旋回軸を中心として１８０°旋回させた姿勢においても、蓋体筐体は同一の外観形状を呈することとなる。
【００１７】
また、蓋体筐体を自由端部に向けて肉薄となるテーパ形状に形成するとともに、第１の閉止形態において蓋体筐体の正面を本体筐体の正面と全体に亘って近接させ、第２の閉止形態において蓋体筐体の背面を本体筐体の正面と全体に亘って近接させることで、第１の閉止形態および第２の閉止形態において、共に電子機器の外観形状は同一のウェッジシェープを呈することとなる。
【００１８】
さらに、第１の閉止形態において蓋体筐体の正面を本体筐体の正面と全体に亘って近接させ、第２の閉止形態において蓋体筐体の背面を本体筐体の正面と全体に亘って近接させることで、第１の閉止形態および第２の閉止形態において、本体筐体と蓋体筐体との間に大きな隙間が形成されることがない。
【００１９】
かくして、本発明に関わる電子機器によれば、美感の低下や外観形状の不用意な大型化を招くことなく、第１の閉止形態および第２の閉止形態において、共に変わらないウェッジシェイプの外観形状を獲得することが可能となる。
【発明を実施するための最良の形態】
【００２０】
以下、実施例を示す図面に基づいて、本発明を詳細に説明する。  
図１〜図５は、電子機器の一態様である携帯電話機に本発明を適用した実施例を示しており、この実施例における携帯電話機１は、本体を構成する本体筐体２と、蓋体を構成する蓋体筐体３とを備えている。
【００２１】
上記本体筐体２は、扁平な長方体に近似した形状を呈しており、該本体筐体２の正面２ｆには、複数の操作キーを備えた操作部２Ｍ、および送話部２ｍ等が設けられている。
【００２２】
一方、上記蓋体筐体３は、後に詳述する如く扁平な楔状の長方体に近似した形状を呈しており、該蓋体筐体３の正面３ｆには、大型のメイン液晶画面３Ｄ、および受話部３ｒ等が設けられ、同じく蓋体筐体３の背面３ｂには、小形のサブ液晶画面３Ｓが設けられている。
【００２３】
上述した本体筐体２と蓋体筐体３とは、回転２軸ヒンジ機構(図示せず)を備えた連結体４を介して、図３中に矢印Ｆで示す如く開閉軸ｘを中心として開閉自在に連結されているとともに、上記開閉軸ｘと直交する旋回軸ｚを中心として、図３中に矢印Ｒで示す如く旋回自在に連結されている。
【００２４】
これにより、上記携帯電話機１は、図１(ａ)に示す如く、本体筐体２に対して蓋体筐体３を所定の姿勢角で開いたオープンポジションと、図１(ｂ)に示す如く、上記オープンポジションから本体筐体２の正面２ｆと蓋体筐体３の正面３ｆとを相対向させて閉じたクローズポジション(第１の閉止形態)とを取ることができる。
【００２５】
また、上記携帯電話機１は、図２(ａ)に示す如く、上記オープンポジションから蓋体筐体３を１８０°旋回(反転)させたターンオープンポジションと、図２(ｂ)に示す如く、上記ターンオープンポジションから本体筐体２の正面２ｆと蓋体筐体３の背面３ｂとを相対向させ、液晶表示画面３Ｄを外方に露呈させて蓋体筐体３を閉じたターンクローズポジション(第２の閉止形態)とを取ることができる。
【００２６】
図３、図４および図５に示す如く、上記携帯電話機１の蓋体筐体３は、共に平面からなる正面３ｆと背面３ｂとを有し、自由端部３ｖに向けて肉薄となるテーパ形状に形成されている。
【００２７】
また、上記蓋体筐体３における正面３ｆと背面３ｂとは、旋回軸ｚを中心として互いに対象に形成され、図４および図５に示す如く、旋回軸ｚと正面３ｆとの成す正面側傾斜角αｆと、旋回軸ｚと背面３ｂとの成す背面側傾斜角αｂとは、互いに等しく設定されており、これら正面側傾斜角αｆおよび背面側傾斜角αｂは、ともに実施例において１°に設定されている。
【００２８】
図４(ｂ)に示す如く、上記蓋体筐体３がクローズポジション(第１の閉止状態)にあるとき、開閉軸ｘを含んで本体筐体２の正面２ｆと平行を成す基準水平面ｈに対する、蓋体筐体３における旋回軸ｚ(ｃ)の閉成姿勢角θｃは、実施例において図中の反時計方向へ１°(−１°)に設定されている。
【００２９】
ここで、上記蓋体筐体３を自由端部３ｖに向けて肉薄となるテーパ形状に形成するとともに、旋回軸ｚ(ｃ)の閉成姿勢角θｃを図中の反時計方向へ１°(−１°)と設定したことで、蓋体筐体３がクローズポジションにあるとき、携帯電話機１の外観形状がウェッジシェープを呈することとなる。
【００３０】
また、旋回軸ｚ(ｃ)の閉成姿勢角θｃを図中の反時計方向へ１°(−１°)と設定したことで、旋回軸ｚに対する正面側傾斜角αｆが１°に設定されている蓋体筐体３の正面３ｆは、本体筐体２における正面２ｆに対して、その全体に亘り互いに平行しつつ近接することとなる。
【００３１】
一方、図５(ｂ)に示す如く、上記蓋体筐体３がターンクローズポジション(第２の閉止
状態)にあるとき、基準水平面ｈに対する蓋体筐体３における旋回軸ｚ(ｃ)の閉成姿勢角
θｃは、上述したクローズポジション(第１の閉止状態)と同じく、実施例において図中の反時計方向へ１°(−１°)に設定されている。
【００３２】
ここで、上記蓋体筐体３を自由端部３ｖに向けて肉薄となるテーパ形状に形成するとともに、旋回軸ｚ(ｃ)の閉成姿勢角θｃを図中の反時計方向へ１°(−１°)と設定したことで、蓋体筐体３がターンクローズポジションにあるとき、携帯電話機１の外観形状がウェッジシェープを呈することとなる。
【００３３】
さらに、旋回軸ｚ(ｃ)の閉成姿勢角θｃを図中の反時計方向へ１°(−１°)と設定したことで、旋回軸ｚに対する背面側傾斜角αｂが１°に設定されている蓋体筐体３の背面３ｂは、本体筐体２における正面２ｆに対して、その全体に亘り互いに平行しつつ近接することとなる。
【００３４】
因みに、図４(ｂ)および図５(ｂ)に示す如く、蓋体筐体３がオープンポジション(図１(ａ)参照)、またはターンオープンポジション(図２(ａ)参照)にあるとき、基準水平面ｈに対する旋回軸ｚ(ｏ)の開成姿勢角θｏは１６５°に設定され、蓋体筐体３の開閉角θａは開成姿勢角θｏと閉成姿勢角θｃとを足した１６６°に設定されており、上記蓋体筐体３における開閉角θａの設定は、周知の如くヒンジ(図示せず)に設けたストッパにより調整されることは言うまでもない。
【００３５】
上述した実施例の携帯電話機１においては、蓋体筐体３を自由端部３ｖに向けて肉薄となるテーパ形状とするとともに、旋回軸ｚを中心として蓋体筐体３の正面３ｆおよび背面３ｂを互いに対象に形成したことで、第１の閉止形態(図４参照)および第２の閉止形態(
図５参照)において、旋回軸ｚを中心として１８０°旋回させた姿勢においても、蓋体筐
体３は同一の外観形状を呈することとなる。
【００３６】
また、蓋体筐体３を自由端部３ｖに向けて肉薄となるテーパ形状に形成するとともに、第１の閉止形態において正面３ｆを本体筐体２の正面２ｆと全体に亘って近接させ、第２の閉止形態において背面３ｂを本体筐体２の正面２ｆと全体に亘って近接させることで、第１の閉止形態および第２の閉止形態において、共に携帯電話機１の外観形状は同一のウェッジシェープを呈することとなる。
【００３７】
さらに、第１の閉止形態において、蓋体筐体３の正面３ｆを本体筐体２の正面２ｆと全体に亘って近接させ、第２の閉止形態において、蓋体筐体３の背面３ｂを本体筐体２の正面２ｆと全体に亘って近接させることで、第１の閉止形態および第２の閉止形態において、本体筐体２と蓋体筐体３との間に大きな隙間が形成されることがない。
【００３８】
かくして、上述した実施例の携帯電話機１によれば、美感の低下や外観形状の不用意な大型化を招くことなく、第１の閉止形態および第２の閉止形態において、共に変わらないウェッジシェイプの外観形状を獲得することが可能となる。
【００３９】
なお、上述した実施例においては、蓋体筐体３の旋回軸ｚに対する正面側傾斜角αｆおよび背面側傾斜角αｂを１°に設定し、また基準水平面ｈに対する旋回軸ｚ(ｃ)の閉成姿勢角θｃを１°(−１°)に設定しているが、これら閉成姿勢角θｃ、正面側傾斜角αｆおよび背面側傾斜角αｂは、携帯電話機の設計仕様、特に外観のデザインに基づいて任意に設定し得ることは勿論である。
【００４０】
さらに、上述した各実施例においては、本発明を電子機器の一態様である携帯電話機に適用した例を示したが、回転２軸ヒンジ機構を備えた連結体を介して本体筐体と蓋体筐体とを開閉自在かつ旋回自在に連結した電子機器、例えば、電子辞書やＰＤＡ(パーソナル
・データ・アシスタンス)等、様々な電子機器においても本発明を有効に適用し得ること
は言うまでもない。
【図面の簡単な説明】
【００４１】
【図１】(ａ)および(ｂ)は、本発明に関わる電子機器の一実施例である携帯電話機を示す外観斜視図。
【図２】(ａ)および(ｂ)は、本発明に関わる電子機器の一実施例である携帯電話機を示す外観斜視図。
【図３】(ａ)、(ｂ)および(ｃ)は、図１および図２の携帯電話機を概念的に示した全体正面図、全体側面図および全体背面図。
【図４】(ａ)および(ｂ)は、図３の携帯電話機における第１の閉止形態を概念的に示す側面図。
【図５】(ａ)および(ｂ)は、図３の携帯電話機における第２の閉止形態を概念的に示す側面図。
【図６】(ａ)、(ｂ)および(ｃ)は、従来の携帯電話機を示す全体正面図、全体側面図および全体背面図。
【図７】(ａ)および(ｂ)は、図６に示した携帯電話機における第１の閉止形態および第２の閉止形態を表す外観側面図。
【図８】(ａ)、(ｂ)および(ｃ)は、従来の他の携帯電話機を示す全体正面図、全体側面図および全体背面図。
【図９】(ａ)および(ｂ)は、図８に示した携帯電話機における第１の閉止形態および第２の閉止形態を表す外観側面図。
【符号の説明】
【００４２】
１…携帯電話機(電子機器)、
２…本体筐体、
２ｆ…正面、
３…蓋体筐体、
３ｆ…正面、
３ｂ…背面、
３ｖ…自由端部、
４…連結体、
ｘ…開閉軸、
ｚ…旋回軸、
αｆ…正面側傾斜角、
αｂ…背面側傾斜角、
ｈ…基準水平面、
θａ…開閉角、
θｏ…開成姿勢角、
θｃ…閉成姿勢角。
【図１】
2008278220.tif 000003
【図２】
2008278220.tif 000004
【図３】
2008278220.tif 000005
【図４】
2008278220.tif 000006
【図５】
2008278220.tif 000007
【図６】
2008278220.tif 000008
【図７】
2008278220.tif 000009
【図８】
2008278220.tif 000010
【図９】
2008278220.tif 000011